【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
外部から設定情報を入力する設定手段と、
利用者の体温又は脈拍を含む生体情報を検出する生体情報検出手段と、
この生体情報検出手段によって検出された利用者の生体情報と、前記設定手段によって入力された前記利用者の設定情報を記憶する記憶手段と、
外部空気調和機との間で双方向通信を行うリモコン通信手段と、
時間を計測する時間計測手段を有するリモコン制御手段と、を備え、
前記リモコン制御手段は、前記記憶手段に記憶された設定情報に基づいて指令情報を作成し、この指令情報を、前記リモコン通信手段を介して前記空気調和機へ送って処理を要求し、前記リモコン通信手段を介して前記空気調和機から処理結果を受信すると、前記時間計測手段によって計測された、前記指令の送信から前記処理結果の受信までの経過時間に基づいて前記空気調和機までの距離を算出し、算出された距離と、前記記憶手段に記憶された生体情報とを、前記リモコン通信手段を介して前記空気調和機へ送信し、前記距離と生体情報に基づく空調制御を促すことを特徴とする空調用リモートコントローラ。
【請求項２】
利用者の体温又は脈拍を含む生体情報を検出する生体情報検出手段と、
この生体情報検出手段によって検出された利用者の生体情報を記憶する記憶手段と、
双方向通信を行うリモコン通信手段と、リモコン制御手段と、を備え、
前記リモコン制御手段は、前記リモコン通信手段を介して外部の空気調和機から処理要求を受信すると、前記記憶手段に記憶された生体情報を前記リモコン通信手段を介して前記空気調和機へ送信し、前記空気調和機に対して、双方向通信の経過時間に基づく距離計算を促すとともに、算出される距離と前記生体情報に基づく空調制御の実施を促すことを特徴とする空調用リモートコントローラ。
【請求項３】
気温、湿度および風速の少なくとも一つを検出する検出手段をさらに備え、
前記記憶手段は、前記検出手段によって検出される気温、湿度、明るさおよび風速の少なくとも一つを記憶し、
前記リモコン制御手段は、前記算出された距離を前記空気調和機へ送信する際に、前記記憶手段に記憶された気温、湿度および風速の少なくとも一つを前記空気調和機へ送信し、これらの情報を加味した空調制御を促すことを特徴とする請求項１または請求項２に記載の空調用リモートコントローラ。
【請求項４】
表示手段、音声出力手段および振動発生手段の少なくとも一つを備え、
前記リモコン制御手段は、前記空気調和機から受信した処理結果を前記表示手段、前記音声出力手段および前記振動発生手段の少なくとも一つに出力することを特徴とする請求項１〜３のいずれかに記載の空調用リモートコントローラ。
【請求項５】
ネットワークを介してコールセンターに接続された送信手段を備え、
前記リモコン制御手段は、前記空気調和機の故障情報を前記空気調和機から受信すると、前記故障情報を、前記送信手段を介して前記ネットワーク経由で前記コールセンターへ送信することを特徴とする請求項１〜４のいずれかに記載の空調用リモートコントローラ。
【請求項６】
自動ダイヤリング手段を備え、
前記音声出力手段は、受話器または音声入力手段を備えたパソコンの近傍に配置され、
前記リモコン制御手段は、前記空気調和機から双方向通信により前記リモコン通信手段を介して得られた制御情報又は故障モードを含む情報を受信すると、前記自動ダイヤリング手段を制御して前記コールセンターにダイヤルさせ、前記受信した情報を音声に変換し、この音声を前記音声出力手段に出力して前記受話器または前記音声入力手段を通じて前記コールセンターへ送り、対応処理を促すことを特徴とする請求項４または請求項５に記載の空調用リモートコントローラ。
【請求項７】
前記リモコン制御手段は、前記音声出力手段への出力の際に、送信用に使用されている周波数や時間を回避するとともに、複数回送信、周波数・方式の変更および前記情報の多重化の少なくともいずれか一つを実行することを特徴とする請求項６記載の空調用リモートコントローラ。
【請求項８】
風を送出するファンと、
風の向きを変えるベーンと、
請求項１〜６のいずれかに記載の空調用リモートコントローラとの間で双方向通信を行う空調機通信手段と、
赤外線を検出する赤外線検出手段と、
前記赤外線検出手段を水平方向に走査する駆動手段と、
空調機制御手段と、を備え、
この空調機制御手段は、前記駆動手段を制御して前記赤外線検出手段を水平方向に走査させ、前記赤外線検出手段が赤外線を検出したときに、前記空調機通信手段を介して前記空調用リモートコントローラから同時に信号を入力した場合には、前記赤外線を検出した方向に利用者が居ると判断し、前記空調機通信手段を介して前記空調用リモートコントローラから前記距離と前記生体情報とを受信し、受信した距離と生体情報に基づいて前記ファンおよび前記ベーンを制御し、前記利用者へ空調サービスを提供することを特徴とする空気調和機。
【請求項９】
前記空調機制御手段は、前記赤外線検出手段が赤外線を検出したとき、前記空調用リモートコントローラから同時に信号を入力しない場合には、前記赤外線検出手段が前記赤外線を検出した方向に空気調和機が有ると判断し、空調サービスを停止することを特徴とする請求項８に記載の空気調和機。
【請求項１０】
前記空調機制御手段は、前記赤外線検出手段が検出した赤外線の量が所定値を超えた場合には、異常であると判定し、異常情報を、前記空調機通信手段を介して前記空調用リモートコントローラへ伝達することを特徴とする請求項９記載の空気調和機。
【請求項１１】
請求項１〜７のいずれかに記載の空調用リモートコントローラと、請求項８〜１０のいずれかに記載の空気調和機とを備え、
前記空調機制御手段は、前記赤外線検出手段によって検出された利用者の赤外線から利用者の大きさを割り出し、この大きさから遠近方向の第１の距離を推定し、この第１の距離情報を、前記空調機通信手段を介して前記空調用リモートコントローラへ送信し、
前記空調用リモートコントローラは、前記第１の距離情報を前記空気調和機から前記リモコン通信手段を介して受信すると、受信した第１の距離情報を前記表示手段又は音声出力手段の少なくともいずれか一方へ出力して前記利用者へ修正を促し、前記入力手段によって入力された修正情報と前記生体情報検出手段によって検出された生体情報を、前記リモコン通信手段を介して前記空気調和機へ送信し、
前記空調機制御手段は、前記修正情報と生体情報を前記空調用リモートコントローラから前記空調機通信手段を介して受信すると、前記受信した修正情報に基づいて前記第１の距離情報を補正し、補正された第１の距離情報と、前記受信した生体情報とに基づいて空調サービスを提供することを特徴とする空気調和システム。
【請求項１２】
前記空気調和機はさらに特定のボタンスイッチを備え、
このボタンスイッチが押下されると、このとき発生する信号に基いて空調用リモートコントローラ探索用の指令を生成し、この指令を、前記空調機通信手段を介して送信し、
前記空調用リモートコントローラは、前記リモコン通信手段を介して前記空気調和機からの指令を受信すると前記表示手段に警告表示ないし点滅、前記音声出力手段への警告音出力および前記振動発生手段への振動指令出力の少なくともいずれか一つを行わせることを特徴とする請求項１１記載の空気調和システム。
【請求項１３】
前記リモコンは特定のボタンを備え、
前記リモコン制御手段は、前記特定ボタンが押下された場合には、利用者が赤ちゃんであると判定し、この旨の情報を、前記リモコン通信手段を介して前記空気調和機に送信し、
前記空調機制御手段は、前記空調機通信手段を介して前記情報を受信すると、設定温度を所定の温度まで上げ、所定の湿度範囲にし、前記利用者の周囲または床面に風を送るように前記ファンおよび前記ベーンを制御することを特徴とする請求項１１または請求項１２に記載の空気調和システム。
【請求項１４】
前記リモコンは特定のボタンを備え、
前記リモコン制御手段は、前記特定ボタンが押下された場合には、利用者が受験生であると判定し、この旨の情報を、前記リモコン通信手段を介して前記空気調和機に送信し、
前記空調機制御手段は、前記空調機通信手段を介して前記情報を受信すると、設定温度を所定の温度範囲に抑え、湿度を所定の範囲内にし、前記利用者の周囲または床面に風を送るように前記ファンおよび前記ベーンを制御することを特徴とする請求項１１または請求項１２に記載の空気調和システム。
【請求項１５】
前記空調用リモートコントローラは、携帯電話であることを特徴とする請求項１１〜１４のいずれかに記載の空気調和システム。
【請求項１６】
利用者の体温や脈拍などの生体情報を検出する生体情報検出手段と、この生体情報検出手段によって検出された利用者の生体情報を記憶する記憶手段と、双方向通信を行うリモコン通信手段と、前記各手段を制御するリモコン制御手段と、を有する空調用リモートコントローラと、
この空調用リモートコントローラとの間で双方向通信を行う空調機通信手段と、
特定ボタンと、時間を計測する時間計測手段を有する空調機制御手段と、を有する空気調和機とを備え、
前記空調機制御手段は、前記特定ボタンが押下されると、指令情報を作成し、この指令情報を、前記空調機通信手段を介して前記空調用リモートコントローラへ送って前記利用者の生体情報を要求し、
前記リモコン制御手段は、前記指令情報を、前記リモコン通信手段を介して前記空気調和機から受信すると、前記記憶手段に記憶された前記利用者の生体情報を、前記リモコン通信手段を介して前記空気調和機へ送信し、
前記空気調和機は、前記生体情報を、前記空調機通信手段を介して前記空調用リモートコントローラから受信すると、前記時間計測手段によって計測された、前記指令の送信から前記処理結果の受信までの経過時間に基づいて前記空気調和機から前記空調用リモートコントローラまでの距離を算出し、算出された距離と、前記受信した生体情報とに基づいて空調制御を行うことを特徴とする空気調和システム。
【請求項１７】
前記赤外線検出手段は、室内を水平方向の複数に分割した角度領域のそれぞれの位置を検出する複数の受光素子を備え、
前記空調機制御手段は、前記赤外線検出手段によって検出された前記リモートコントローラの水平方向の角度領域に対して指令を発信し、前記指令の赤外光を発射してから前記赤外線検出手段が前記赤外光を受光するまでの経過時間に基づいて前記リモートコントローラと前記空気調和機までの距離を算出することで前記リモートコントローラの位置を割り出し、この位置に対して空調制御することを特徴とする請求項１１〜１６のいずれかに記載の空気調和システム。
【請求項１８】
風を送出するファンと、
風の向きを変えるベーンと、
赤外線を検出するＣＭＯＳセンサ手段と、
空調機制御手段と、を備え、
前記空調機制御手段は、前記ＣＭＯＳセンサ手段によって検出された利用者の赤外線から利用者の位置又は利用者までの距離を割り出し、
前記利用者の位置又は利用者までの距離に基づいて前記ファンおよび前記ベーンを制御し、前記利用者へ空調サービスを提供することを特徴とする空気調和機。